(57)【要約】【課題】  撮像装置の形状（または形態）を変化させることにより、撮像装置に搭載されているレンズと、ズームレンズ、ワイドレンズなどのコンバージョンレンズを組み合わせて使用する可能とし、かつ、撮像装置の形状からユーザがその使用形態が容易かつ直観的に理解でき用途に沿った利用を可能とする、撮像装置を提供する。【解決手段】  ディジタルカメラ１は、ディジタルカメラ本体１０に対して移動可能な表カバー２０と、表カバー２０に対して移動可能であり、移動状態に応じて標準レンズ１１とズーム用コンバージョンレンズ５２、ワイド用コンバージョンレンズ５３などを組み合わせることが可能となる。【選択図】    図３
2005346017.tif 000002
【特許請求の範囲】
【請求項１】
レンズが搭載されている本体と、
前記本体に対して第１位置と第２位置との間で移動可能に前記本体に装着され、前記第１位置において前記レンズを覆い、前記第２位置において前記レンズを露出させるカバーと、
前記カバーに対して少なくとも第３位置と第４位置との間で移動可能に配設された、少なくとも１個のコンバージョンレンズを有するコンバージョンレンズユニットと
からなり、
（ａ）前記カバーが前記第２位置に位置し、かつ、該コンバージョンレンズユニットが前記第３位置に位置しているとき、前記コンバージョンレンズは前記レンズの視野に入らず、（ｂ）前記カバーが前記第２位置に位置し、かつ、該コンバージョンレンズユニットが前記４位置に位置したとき、前記コンバージョンレンズの光軸と前記レンズの光軸が一致し、前記コンバージョンレンズと前記レンズとが組み合わされて新たなレンズ系を構成する、
ことを特徴とする、撮像装置。
【請求項２】
前記コンバージョンレンズユニットが、前記カバーと前記本体との間に配置されたことを特徴とする、
請求項１に記載の撮像装置。
【請求項３】
前記カバーが前記第１位置から離れると当該撮像装置に電力を供給する手段を有することを特徴とする、
請求項１または２に記載の撮像装置。
【請求項４】
前記レンズから入射する被写体画像を電気信号に変換する撮像デバイスと、
被写体までの距離を検出する測距手段と、
該測距手段で検出した被写体までの距離に応じて、前記レンズの焦点位置を調整可能にするレンズ位置調整機構と、
自動焦点距離調整手段と、
前記コンバージョンレンズユニットが前記第３位置に位置すること、および、前記コンバージョンレンズユニットが前記４位置に位置することを検出する位置検出手段と
をさらに有し、
前記自動焦点距離調整手段は、前記位置検出手段の検出結果を入力し、
前記コンバージョンレンズユニットが前記第３位置に位置するときは前記レンズのみについての自動焦点距離制御をすべく前記レンズ位置調整機構を駆動して前記レンズの焦点距離を制御し、
前記コンバージョンレンズユニット前記第４位置に位置するときは前記レンズと前記コンバージョンレンズとを組み合わせたときの自動焦点距離制御をすべく前記レンズ位置調整機構を駆動して前記レンズおよびコンバージョンレンズの焦点距離を制御する、
ことを特徴とする、請求項１〜３のいずれかに記載の撮像装置。
【請求項５】
前記位置検出手段は前記本体に配設されたリミットスイッチであり、
前記コンバージョンレンズユニットに前記リミットスイッチを作動させる作動子が設けられていることを特徴とする、
請求項１〜４のいずれかに記載の撮像装置。
【請求項６】
前記レンズは当該撮像装置に標準的に搭載されている複数のレンズが組み合わされたレンズ群からなり、
前記コンバージョンレンズはズーム用レンズまたはワイド用レンズである、
ことを特徴とする、
請求項１〜５のいずれかに記載の撮像装置。
【請求項７】
前記本体における前記カバーと対向する側に、前記撮像した画像データを表示する表示手段が設けられていることを特徴とする、
請求項１〜６のいずれかに記載の撮像装置。
【請求項８】
前記本体を挟んで、前記カバーと対向する側に設けられた、前記カバーと連動して移動可能な第２カバーと、
該第２カバーに配設された表示手段およびシャッタと、
前記本体を挟んで前記カバーと対向する側に配置された当該撮像装置の操作を行う操作手段と
を備え、
前記第２カバーは、前記カバーが第１の位置に位置するとき前記操作手段を覆い、前記カバーが第２の位置に位置するとき前記操作手段を露出させるように、移動することを特徴とする、
請求項１〜６のいずれかに記載の撮像装置。
【発明の詳細な説明】
【技術分野】
【０００１】  本発明は撮像装置、特に、ディジタルカメラ装置（電子カメラ装置）に関する。
より特定的には、本発明はディジタルカメラの外観形状の変化に応じてレンズの組み合わせを異ならせるようにしたディジタルカメラに関する。
【背景技術】
【０００２】  レンズ、ＣＣＤ、コンピュータと、メモリを有し、ディジタル信号処理して撮像データを得るディジタルカメラが広く活用されている。
そのようなディジタルカメラは、画素数の増加、操作の簡便化、利便性、小型軽量化、機能の拡大など種々の改良が行われている。【０００３】  利便性の１技術として、ディジタルスチルカメラにおいて、撮影をしないとき使用しないレンズ、操作スイッチなどを保護するカバーを設け、カバーを開くと電源が入り、撮影可能となる技術が知られている。【０００４】  また、機能の拡大の１技術として、特許文献１は、カメラ一体型ＶＴＲ装置において、操作つまみの僅かなスライドで、たとえば、ワイド（広角）用のコンバージョンレンズを切り換える技術を開示している。
【特許文献１】特開平６−２８９４７４号公報
【発明の開示】
【発明が解決しようとする課題】
【０００５】  特許文献１に記載された技術は、１台のカメラでコンバージョンレンズを切り換えることにより、ワイドなどの撮像を可能とするが、多くのユーザにとっては、ディジタルカメラの形状または形態が変化することにより、自己が使用するディジタルカメラのモードがなんであるかが容易に判ることも望まれている。特に、小型のディジタルカメラにおいては、ユーザが複雑なカメラ操作に馴染まない人が多い。【０００６】  本発明は、コンバージョンレンズを使用可能なディジタルカメラなどの撮像装置の操作性などを向上することを目的とする。
【課題を解決するための手段】
【０００７】  本発明によれば、レンズが搭載されている本体と、前記本体に対して第１位置と第２位置との間で移動可能に前記本体に装着され、前記第１位置において前記レンズを覆い、前記第２位置において前記レンズを露出させるカバーと、前記カバーに対して少なくとも第３位置と第４位置との間で移動可能に配設された、少なくとも１個のコンバージョンレンズを有するコンバージョンレンズユニットとからなり、（ａ）前記カバーが前記第２位置に位置し、かつ、該コンバージョンレンズユニットが前記第３位置に位置しているとき、前記コンバージョンレンズは前記レンズの視野に入らず、（ｂ）前記カバーが前記第２位置に位置し、かつ、該コンバージョンレンズユニットが前記４位置に位置したとき、前記コンバージョンレンズの光軸と前記レンズの光軸が一致し、前記コンバージョンレンズと前記レンズとが組み合わされて新たなレンズ系を構成する、ことを特徴とする、撮像装置が提供される。【０００８】  好ましくは、前記コンバージョンレンズユニットが、前記カバーと前記本体との間に配置されたことを特徴とする。【０００９】  また好ましくは、前記カバーが前記第１位置から離れると当該撮像装置に電力を供給する手段を有することを特徴とする。【００１０】  好ましくは、前記レンズから入射する被写体画像を電気信号に変換する撮像デバイスと、被写体までの距離を検出する測距手段と、該測距手段で検出した被写体までの距離に応じて、前記レンズの焦点位置を調整可能にするレンズ位置調整機構と、自動焦点距離調整手段と、前記コンバージョンレンズユニットが前記第３位置に位置すること、および、前記コンバージョンレンズユニットが前記４位置に位置することを検出する位置検出手段とをさらに有し、前記自動焦点距離調整手段は、前記位置検出手段の検出結果を入力し、（ａ）前記コンバージョンレンズユニットが前記第３位置に位置するときは前記レンズのみについての自動焦点距離制御をすべく前記レンズ位置調整機構を駆動して前記レンズの焦点距離を制御し、（ｂ）前記コンバージョンレンズユニット前記第４位置に位置するときは前記レンズと前記コンバージョンレンズとを組み合わせたときの自動焦点距離制御をすべく前記レンズ位置調整機構を駆動して前記レンズおよびコンバージョンレンズの焦点距離を制御する、ことを特徴とする。【００１１】  好ましくは、前記位置検出手段は前記本体に配設されたリミットスイッチであり、前記コンバージョンレンズユニットに前記リミットスイッチを作動させる作動子が設けられていることを特徴とする。【００１２】  また好ましくは、前記レンズは当該撮像装置に標準的に搭載されている複数のレンズが組み合わされたレンズ群からなり、前記コンバージョンレンズはズーム用レンズまたはワイド用レンズであることを特徴とする。【００１３】  好ましくは、前記本体における前記カバーと対向する側に、前記撮像した画像データを表示する表示手段が設けられていることを特徴とする。【００１４】  あるいは、前記本体を挟んで、前記カバーと対向する側に設けられた、前記カバーと連動して移動可能な第２カバーと、該第２カバーに配設された表示手段およびシャッタと、前記本体を挟んで前記カバー��対向する側に配置された当該撮像装置の操作を行う操作手段とを備え、前記第２カバーは、前記カバーが第１の位置に位置するとき前記操作手段を覆い、前記カバーが第２の位置に位置するとき前記操作手段を露出させるように、移動することを特徴とする、
【発明の効果】
【００１５】  本発明によれば、コンバージョンレンズを使用可能なディジタルカメラなどの撮像装置の操作性などを向上することができた。
【発明を実施するための最良の形態】
【００１６】第１実施の形態
図１〜図６を参照して本発明の撮像装置の実施の形態としてのディジタルカメラについて述べる。
図１は本発明の撮像手段の実施の形態としてのディジタルカメラの第１形態を図解した図であり、図１（Ａ）は正面図であり、図１（Ｂ）は側面図であり、図１（Ｃ）は表カバーを取り除いた時のディジタルカメラの正面図である。
図２（Ａ）は本発明の実施の形態のディジタルカメラの表カバーとコンバージョンレンズユニットとの断面図であり、図２（Ｂ）は図２（Ａ）に図解した表カバーのコンバージョンレンズユニット・スライド用溝部の部分図である。
図３は本発明の実施の形態のディジタルカメラの第２形態を図解した図であり、図３（Ａ）は正面図であり、図３（Ｂ）は側面図である。
図４は本発明の実施の形態のディジタルカメラの第３形態における正面図である。
図５は本発明の実施の形態のディジタルカメラの第４形態における正面図である。
図６は図１に図解したディジタルカメラの信号処理系を図解した図である。【００１７】  ディジタルカメラ１は、ディジタルカメラ本体１０と、本発明のカバーの１例としての表カバー２０と、本発明の第１カバーの１例としての裏カバー３０と、図２を参照して述べるコンバージョンレンズユニット５０とを有する。
なお、本実施の形態においては、コンバージョンレンズユニット５０として、ズーム用コンバージョンレンズ５２、ワイド用コンバージョンレンズ５３を搭載した例を述べるが、コンバージョンレンズに限らず、ディジタルカメラ１に標準的に搭載されているレンズ１１（以下、本明細書において、コンバージョンレンズに対応する用語として標準レンズ１１という）と組み合わせて使用する可能性のある、フィルタなど他の光学素子を搭載することができる。したがって、コンバージョンレンズユニット５０は光学素子ユニットとすることもできる。ただし、下記の記述においてコンバージョンレンズユニット５０について例示する。【００１８】  図１（Ａ）に図解した第１状態は、図３（Ａ）に図解したように、表カバー２０がディジタルカメラ本体１０の第１面側に露出する標準レンズ１１を覆い隠し、かつ、外部から保護して状態であり、標準レンズ１１に傷がつくことなどから保護できる。またこの状態ではバッテリから給電されず、マイクロコンピュータ、電子回路を含むディジタルカメラ１は撮像に使用できない。表カバー２０には、ＺＯＯＭ（ズーム）、ＷＩＤＥ（ワイド、すなわち、広角）、および、ＮＯＲＭ（標準）を意味する文字がコンバージョンレンズユニット・スライド用溝部２２に沿って印刷されている。
図１（Ｂ）は表カバー２０とディジタルカメラ本体１０を挟んで反対側に位置する裏カバー３０から見た図であり、裏カバー３０には、液晶表示器（ＬＣＤ）３１とシャッタ３２、好ましくは、１段押し状態でロック状態にし、このロック状態においてさらに２段押し操作で実際に撮像する２段押しシャッタが設けられている。
図１（Ｃ）は、図１（Ａ）に図解した状態から、表カバー２０をディジタルカメラ本体１０から取り外した時のディジタルカメラ本体１０の正面図である。ディジタルカメラ本体１０の正面には、標凖レンズ１１と、本発明の被写体までの距離を測定する測距手段の１例としての測距センサ１２と、ストロボ１３と、表カバー第１スライド用溝部１５と、表カバー第２スライド用溝部１６と、表カバー位置検出スイッチ群１７とが配設されている。【００１９】  なお、本発明の測距手段としては、測距センサ１２の他、ディジタルカメラ１の本体内に収容されたＣＣＤ撮像素子とコンピュータを用いた信号処理手段によっても被写体までの距離を測定することができる。以下、測距手段として測距センサ１２を用いた場合について述べる。【００２０】  ディジタルカメラ本体１０の正面と対向する表カバー２０の裏側には、それぞれ、表カバー第１スライド用溝部１５および表カバー第２スライド用溝部１６と係合する表カバースライド用部材２９ａ、２９ｂが設けられている。
図１（Ａ）に図解した状態は、表カバースライド用部材２９ａ、２９ｂが、上部係止穴１５２、１６２に係止されている状態を示す。表カバースライド用部材２９ａ、２９ｂが上部係止穴１５２、１６２に係止されている状態を、表カバー２０の第１状態といい、表カバースライド用部材２９ａ、２９ｂが係止されている位置を本発明の第１位置という。
逆に、表カバースライド用部材２９ａ、２９ｂが、スライド用溝１５１、１６１をスライドさせられて下部係止穴１５３、１６３に係止された状態が、図３（Ａ）、図４、図５に図解した状態である。表カバースライド用部材２９ａ、２９ｂが下部係止穴１５３、下部係止穴１６３に係止されている状態を、表カバー２０の第２状態といい、表カバースライド用部材２９ａ、２９ｂが係止されている位置を本発明の第２位置という。【００２１】  上部係止穴１５２部分に図示しない上部係止穴位置スイッチ１５２ＳＷが配設されている。上部係止穴位置スイッチ１５２ＳＷはＢ型接点を持ち、付勢されたとき開（オープン）状態の接点出力を行い、消勢状態で閉（クローズ）状態の接点出力を行う。
表カバースライド用部材２９ａが上部係止穴１５２に係止されているとき、換言すれば、図１（Ａ）に図解したように標準レンズ１１を覆っているとき、上部係止穴位置スイッチ１５２ＳＷは開状態であり、図６に図解したように、バッテリ１５０からの給電を停止する。よってこの状態ではディジタルカメラ１内のディジタルカメラ信号処理系１００は動作しない。
他方、表カバースライド用部材２９ａが下部係止穴１５３に係止されているとき、換言すれば、図３（Ａ）に図解したように標準レンズ１１が露出されたとき、上部係止穴位置スイッチ１５２ＳＷは閉状態となり、図６に図解したように、バッテリ１５０からのディジタルカメラ信号処理系１００に給電を行う。よってこの状態で初めてディジタルカメラ１を動作させることができる。【００２２】  ディジタルカメラ１はこのように、ディジタルカメラ本体１０に対する表カバー２０の位置によって動作可能（使用可能）か否かが決定される。したがって、たとえば、表カバー２０で標準レンズ１１を覆い隠した状態で撮影をするという誤動作が防止できる。他方、撮影をするときは表カバー２０を図３（Ａ）に図解したように、移動させるだけでよく、バッテリ電源を入れたり切ったりする必要はなく、さらに、そのようなスイッチを設ける必要もない。
表カバー２０を移動させてディジタルカメラ１の全体の外観形状を大きく異ならせることはユーザにとって自明に視認でき、機械操作の苦手なユーザでも容易に利用できる。【００２３】  表カバースライド用部材２９ａ、２９ｂと、スライド用溝１５１、１６１とは、適度な摩擦力で表カバースライド用部材２９ａ、２９ｂをスライド用溝１５１、１６１を摺動（スライド）可能なようにし、表カバー２０がずれたり、自由落下などしないようにする。
他方、上部係止穴１５２、１６２または下部係止穴１５３、１６３に表カバースライド用部材２９ａ、２９ｂが係止されているとき、係止状態が安定するようにする。
その１方法としては、表カバースライド用部材２９ａ、２９ｂの外周にゴムなどの弾性体を装着させ、弾性体が外周に装着された表カバースライド用部材２９ａ、２９ｂの直径をスライド用溝１５１、１６１の幅より大きくし、下部係止穴１５３、１６３の直径より若干大きくしておく。その結果、カバースライド用部材２９ａ、２９ｂがスライド用溝１５１、１６１を移動するときは、表カバースライド用部材２９ａ、２９ｂの弾性体が収縮してある程度の摩擦力が発生し、上部係止穴１５２、１６２または下部係止穴１５３、１６３に位置したときは、表カバースライド用部材２９ａ、２９ｂの弾性体が膨張して安定に係止される。【００２４】  ディジタルカメラ本体１０は、本発明のレンズに対応する標準レンズ１１、自動焦点に使用する超音波センサなどを用いた本発明の測距手段の１例としての測距センサ１２、本発明の閃光手段としてのストロボ１３の他、通常は表カバー２０で覆われて外部に露出しない標準位置検出スイッチ１７１、ワイドレンズ位置検出スイッチ１７２、ズームレンズ位置検出スイッチ１７３からなる表カバー位置検出スイッチ群１７を有する。
またディジタルカメラ本体１０は、図６に概略構成を図解した、マイクロコンピュータを用いた制御ユニット１１０、外部メモリ１２０、ＣＣＤなどの撮像デバイス１３０、モータなどの移動用アクチュエータ１４０、電子回路を含むレンズ移動用アクチュエータ駆動ドライバ１４２、バッテリ１５０を有する。
ディジタルカメラ１に標準的に搭載されたレンズユニットである標準レンズ１１は、複数のレンズが組み合わされて構成されており、たとえば、図６に図解した、自動焦点制御部（ＡＦ）１１２の自動焦点処理において、そのレンズのうちの少なくとも１個がレンズ移動用アクチュエータ１４０で位置が調整されて、標準レンズ１１の焦点距離を変更できるように構成されている。
標準レンズ１１には図示しない絞りも設けられており、自動照度制御部（ＡＥ）１１３により標準レンズ１１内に配設されており図示してない絞りの開度が調整される。【００２５】  図２（Ａ）、（Ｂ）に図解したように、表カバー２０の裏側にディジタルカメラ本体１０と対向して、コンバージョンレンズユニット５０が配設されている。すなわち、コンバージョンレンズユニット５０は、表カバー２０とディジタルカメラ本体１０との間に位置している。
コンバージョンレンズユニット５０は、コンバージョンレンズユニット板５１と、コンバージョンレンズユニット板５１に取り付けられたズーム用コンバージョンレンズ５２と、ワイド用コンバージョンレンズ５３と、突起５７と、軸５６と軸５６に固定され表カバー２０の表面に露出している指当５５とを有する。
指当５５をスライド用溝部２２に沿って移動させると、軸５６がスライド用溝部２２内を摺動し、指当５５の移動とともに、図３（Ａ）、図４、図５に図解したように、ズーム用コンバージョンレンズ５２、ワイド用コンバージョンレンズ５３の位置が変化する。【００２６】  好ましくは、軸５６の位置を検出するため、図１（Ａ）、図２（Ａ）に図解したように、標準位置係止穴２３１、ワイドレンズ使用係止穴２３２、ズームレンズ使用係止穴２３３に該当する位置に、標準位置検出スイッチ１７１、ワイドレンズ位置検出スイッチ１７２、ズームレンズ位置検出スイッチ１７３を配設している。これらのスイッチ１７１〜１７２は、好ましくは、たとえば、リミットスイッチである。突起５７はリミットスイッチを作動させる作動子の１例である。本例では、突起５７を作動子の１例として述べているが、標準位置検出スイッチ１７１、ワイドレンズ位置検出スイッチ１７２、ズームレンズ位置検出スイッチ１７３などのを作動させる部材であれば、突起５７に限らず、他の作動子を用いることができる。
たとえば、作動子の１例としての突起５７が標準位置係止穴２３１のバネを押圧すると、標準位置検出スイッチ１７１から閉接点出力が図６に図解した制御ユニット１１０の主制御部１１１に入力されて、コンバージョンレンズユニット５０が表カバー２０のどの位置に位置しているか、換言すれば、ズーム用コンバージョンレンズ５２、ワイド用コンバージョンレンズ５３の位置が主制御部１１１において検出可能に構成されている。【００２７】  図３（Ａ）は、軸５６が図２（Ｂ）に図解した標準位置係止穴２３１に係止されており、ズーム用コンバージョンレンズ５２、ワイド用コンバージョンレンズ５３ともに表カバー２０から突出せず、標準レンズ１１の視野に入らない状態である。この状態は、ＮＯＲＭ（標準）撮像状態を示し、ディジタルカメラ１は標準レンズ１１のみで撮像する。【００２８】  図４は、軸５６が図２（Ｂ）に図解したワイドレンズ使用係止穴２３２に係止されており、ワイド用コンバージョンレンズ５３が標準レンズ１１の前面に（被写体、すなわち、物体側に）位置し、かつ、ワイド用コンバージョンレンズ５３の光軸と標準レンズ１１の光軸が一致する。この状態は、ＷＩＤＥ（広角）撮像状態を示し、ディジタルカメラ１は、標準レンズ１１とワイド用コンバージョンレンズ５３とを組み合わせた状態で撮像する。【００２９】  図５は、軸５６が図２（Ｂ）に図解したズームレンズ使用係止穴２３３に係止されており、ズーム用コンバージョンレンズ５２が標準レンズ１１の前面に（被写体、すなわち、物体側に）位置し、かつ、ズーム用コンバージョンレンズ５２の光軸と標準レンズ１１の光軸が一致する。この状態は、ＺＯＯＭ（ズーム）撮像状態を示し、ディジタルカメラ１は、標準レンズ１１とズーム用コンバージョンレンズ５２とを組み合わせた状態で撮像する。【００３０】  軸５６が標準位置係止穴２３１、ワイドレンズ使用係止穴２３２、ズームレンズ使用係止穴２３３のいずれかの位置において、ずれず、正確かつ安定に係止されるように、軸５６と溝２２１、標準位置係止穴２３１、ワイドレンズ使用係止穴２３２、ズームレンズ使用係止穴２３３とは、表カバースライド用部材２９ａ、２９ｂと表カバー第１スライド用溝部１５、１６と同様に構成することが望ましい。たとえば、軸５６の外周にゴムなどの弾性体を装着し、溝２２１の幅を軸５６の外径より小さくしておく。これにより、軸５６は溝２２１を収縮されて適度な摩擦力を受けて移動する。他方、標準位置係止穴２３１、ワイドレンズ使用係止穴２３２、ズームレンズ使用係止穴２３３の直径を軸５６の直径より多少大きくしておく。軸５６は、たとえば、ワイドレンズ使用係止穴２３２に位置すると、弾性体が膨張してワイドレンズ使用係止穴２３２内に拡張し、係止状態を安定にする。
本実施の形態においては、特に、軸５６がワイドレンズ使用係止穴２３２、ズームレンズ使用係止穴２３３のいずれかに係止したとき、標準レンズ１１と、ワイド用コンバージョンレンズ５３またはズーム用コンバージョンレンズ５２と組み合わせて新たな光学系（レンズ系）を構成するから、標準レンズ１１とこれらのコンバージョンレンズとの光軸が正確に一致する必要があり、軸５６を正確な位置に係止できることが重要になる。【００３１】  本実施の形態においては、表カバー２０と同じ移動を行う裏カバー３０が設けられた場合を述べており、裏カバー３０に液晶表示器（ＬＣＤ）３１とシャッタ３２とが配設された場合を述べているが、液晶表示器３１、シャッタ３２をディジタルカメラ本体１０の裏側に装着させれば、特に、裏カバー３０を設ける必要はないし、裏カバー３０を表カバー２０とともに移動させる必要はない。
ただし、好適実施の形態として裏カバー３０が表カバー２０と連動して移動する場合を述べる。そのように構成することにより、ディジタルカメラ１を使用しない状態では、図１（Ｂ）に図解したように、裏カバー３０により覆われて保護されていた、図３（Ｂ）に図解した操作スイッチ群１４が露出する。操作スイッチ群１４としては、たとえば、ズーム用押しボタン１４１、モードスイッチ１４２、１４３などがある。
換言すれば、ディジタルカメラ１を使用しないときは、操作スイッチ群１４は裏カバー３０で覆われて保護され、図３（Ａ）などに図解したように、撮像を行うときは表カバー２０とともに裏カバー３０が移動して、操作スイッチ群１４を露出させ、操作スイッチ群１４を用いて撮影を行うことかできる。【００３２】  図６はディジタルカメラ１に搭載されるディジタルカメラ信号処理系１００の概要を示す。
制御ユニット１１０は、ディジタルカメラ１の全体の制御を行う主制御部１１１、自動焦点制御部（ＡＦ）１１２、自動照度制御部（ＡＥ）１１３、外部メモリ１２０への記録または読み出しを行う、メモリ処理部１１４などを有する。
図１（Ａ）に図解した、表カバー２０が標準レンズ１１を覆っている状態では（第１位置）、上部係止穴位置スイッチ１５２ＳＷが「開状態」でバッテリ１５０からディジタルカメラ信号処理系１００に給電が行われない。よって、ディジタルカメラ信号処理系１００は動作できない。
図３（Ａ）に図解したように、ディジタルカメラ本体１０に対して表カバー２０を下げて第２位置になると、上部係止穴位置スイッチ１５２ＳＷが「閉状態」となり、バッテリ１５０からディジタルカメラ信号処理系１００に給電が行われ、ディジタルカメラ信号処理系１００が動作可能となる。【００３３】  この第２位置状態において、
（ａ）図３（Ａ）に図解の状態は、標準位置検出スイッチ１７１の閉接点出力が主制御部１１１に入力されるから、自動焦点制御部（ＡＦ）１１２および自動照度制御部（ＡＥ）１１３は標準レンズ１１のみを用いた標準的なＡＦ処理を、レンズ移動用アクチュエータ駆動ドライバ１４２、レンズ移動用アクチュエータ１４０、図示しな標準レンズ１１内に配設された絞りを用いて行う。
（ｂ）図４に図解の状態は、ワイドレンズ位置検出スイッチ１７２の閉接点出力が主制御部１１１に入力されるから、自動焦点制御部（ＡＦ）１１２および自動照度制御部（ＡＥ）１１３は標準レンズ１１とワイド用コンバージョンレンズ５３とを組み合わせたレンズ系における処理を、レンズ移動用アクチュエータ駆動ドライバ１４２、レンズ移動用アクチュエータ１４０、図示しない絞りを用いて行う。
（ｃ）図５に図解の状態は、ズームレンズ位置検出スイッチ１７３の閉接点出力が主制御部１１１に入力されるから、自動焦点制御部（ＡＦ）１１２および自動照度制御部（ＡＥ）１１３は標準レンズ１１とワイド用コンバージョンレンズ５３とを組み合わせたレンズ系における処理を、レンズ移動用アクチュエータ駆動ドライバ１４２、レンズ移動用アクチュエータ１４０、図示しない絞りを用いて行う。【００３４】  なお、簡単な場合として、標準位置検出スイッチ１７１、ワイドレンズ位置検出スイッチ１７２、ズームレンズ位置検出スイッチ１７３を設けず、さらに、上述した制御ユニット１１０における各スイッチ動作に応じた処理をせず、撮像デバイス１３０の撮像データのみを参照して、標準レンズ１１とズーム用コンバージョンレンズ５２またはワイド用コンバージョンレンズ５３との組み合わせ処理を行うこともできる。【００３５】  撮像デバイス１３０の撮像結果は液晶表示器（ＬＣＤ）３１に表示される。
シャッタ３２は好ましくは、２段シャッタであり、１段目を押した状態で画像がロックされ、さらに２段目を押すとロックされた画像が実際に撮像されて外部メモリ１２０に記録される。【００３６】  以上述べたように、本実施の形態のディジタルカメラ１は、表カバー２０に対するコンバージョンレンズユニット５０の位置に応じて、標準レンズ１１と組み合わせるコンバージョンレンズを変化させることができる。
これにより、簡単な操作がコンバージョンレンズユニット５０の挿入切換を可能とする他、撮像装置たるディジタルカメラ１の外観的変化、たとえば、表カバー２０と裏カバー３０の位置変化に伴うディジタルカメラ１の外観的変化によってユーザが視覚的に（肉眼で直接的に）極めて明瞭にディジタルカメラ１の状態、すなわち、使用モードを知得できる。それに伴い、誤操作も少なくなる。さらに、必要な部材、たとえば、操作スイッチなどが外部に露出するように構成しているため、操作が簡単であり、誤操作も生じにくい。【００３７】  上述した実施の形態は、コンバージョンレンズとして、ズーム用コンバージョンレンズ５２およびワイド用コンバージョンレンズ５３を例示したが、本発明の実施の形態に際しては例示したコンバージョンレンズには限定されない。【００３８】  また、コンバージョンレンズユニット５０はレンズに限らず、標準レンズ１１に使用するフィルタを選択的に交換可能にすることもできる。たとえば、ズーム用コンバージョンレンズ５２に代えて、クロススクリーン、ワイド用コンバージョンレンズ５３に代えた紫外線カットフィルタなどを用いることもできる。
もちろん、フィルタとコンバージョンレンズとを併用してもよい。【００３９】  本発明の撮像装置としてディジタルカメラ１を例示したが、本発明はディジタルカメラに限らず、ビデオカメラなどの撮像装置にも適用できる。
【図面の簡単な説明】
【００４０】
【図１】図１は本発明の撮像手段の実施の形態としてのディジタルカメラの第１形態を図解した図であり、図１（Ａ）は正面図であり、図１（Ｂ）は側面図であり、図１（Ｃ）は表カバーを取り除いた時のディジタルカメラの正面図である。
【図２】図２（Ａ）は本発明の実施の形態のディジタルカメラの表カバーとコンバージョンレンズユニットとの断面図であり、図２（Ｂ）は図２（Ａ）に図解した表カバーのコンバージョンレンズユニット・スライド用溝部の部分図である。
【図３】図３は本発明の実施の形態のディジタルカメラの第２形態を図解した図であ  り、図３（Ａ）は正面図であり、図３（Ｂ）は側面図である。
【図４】図４は本発明の実施の形態のディジタルカメラの第３形態における正面図である。
【図５】図５は本発明の実施の形態のディジタルカメラの第４形態における正面図である。
【図６】図６は図１に図解したディジタルカメラの信号処理系を図解した図である。
【００４１】１…ディジタルカメラ
１０…ディジタルカメラ本体
１１…標準レンズ、１２…測距センサ、１３…ストロボ、          １４…操作スイッチ群
１５…表カバー第１スライド用溝部
１５１…スライド用溝、１５２…上部係止穴
１５３…下部係止穴
１５２ＳＷ…上部係止穴位置スイッチ
１５３ＳＷ…下部係止穴位置スイッチ
１６…表カバー第２スライド用溝部
１６１…第２スライド溝
１６２…上部係止穴、１６３…下部係止穴
１７…表カバー位置検出スイッチ群
１７１…標準位置検出スイッチ
１７２…ワイドレンズ位置検出スイッチ
１７３…ズームレンズ位置検出スイッチ
２０…表カバー
２１…表カバー板、
２２…コンバージョンレンズユニット・スライド用溝部
２２１…溝２２１
２３…係止穴
２３１…標準位置係止穴
２３２…ワイドレンズ使用係止穴
２３３…ズームレンズ使用係止穴
２９ａ、２９ｂ…表カバースライド用部材
３０…後カバー
３１…液晶表示器（ＬＣＤ）、３２…シャッタボタン
５０…コンバージョンレンズユニット
５１…コンバージョンレンズユニット板
５２…ズーム用コンバージョンレンズ
５３…ワイド用コンバージョンレンズ
５５…指当、５６…軸、５７…突起
１００…ディジタルカメラ信号処理系
１１０…制御ユニット
１１１…主制御部、１１２…自動焦点制御部（ＡＦ）
１１３…自動照度制御部（ＡＥ）
１２０…外部メモリ
１３０…撮像デバイス（ＣＣＤ）
１４０…レンズ移動用アクチュエータ
１４２…レンズ移動用アクチュエータ駆動ドライバ
【図１】
2005346017.tif 000003
【図２】
2005346017.tif 000004
【図３】
2005346017.tif 000005
【図４】
2005346017.tif 000006
【図５】
2005346017.tif 000007
【図６】
2005346017.tif 000008